(57)【要約】【課題】ループ状にデイジーチェーン接続された複数の表示装置に対してエンラージ表示モードを実行させる場合、ソース機器から送信される映像信号を任意の表示装置に入力することができる表示システムに適用される表示装置などを提供する。【解決手段】複数の表示装置（１００ａ〜１００ｄ）は、映像信号が上流から下流に送信されるようにループ状にデイジーチェーン接続されている。複数の表示装置（１００ａ〜１００ｄ）の各々は、制御コマンド（エンラージ表示コマンド（Ｃ１００））を受信したときに、映像信号が表す映像のうちの、自身の設置位置に対応する部分を拡大した部分拡大画面を表示して、制御コマンドを下流に送信する。ここで、制御コマンドを受信したときに、制御コマンドが自身で送信したコマンドである場合、制御コマンドを破棄する。【選択図】図８
2018041024.tif 000002
【特許請求の範囲】
【請求項１】
映像信号が上流から下流に送信されるようにループ状にデイジーチェーン接続され、前記映像信号が表す映像を表示可能な複数の表示装置と、前記複数の表示装置のそれぞれに対して前記映像信号を伝送する複数のソース機器と、を具備する表示システムに適用される表示装置であって、
制御コマンドを受信したときに、前記映像信号が表す前記映像を表示して、前記制御コマンドを下流に送信する個別表示モード、または、前記映像信号が表す前記映像のうちの、自身の設置位置に対応する部分を拡大した部分拡大画面を表示して、前記制御コマンドを下流に送信するエンラージ表示モードを実行する第１制御部と、
前記制御コマンドを受信したときに、前記制御コマンドが自身で送信したコマンドである場合、前記制御コマンドを破棄する第２制御部と、
を具備することを特徴とする表示装置。
【請求項２】
前記第２制御部は、前記制御コマンドを受信したときに、前記制御コマンドの送信元が自身と同じである場合、前記制御コマンドを破棄することを特徴とする請求項１に記載の表示装置。
【請求項３】
前記第２制御部は、前記制御コマンドを送信してから所定時間内に受信した場合、前記制御コマンドを破棄することを特徴とする請求項１に記載の表示装置。
【請求項４】
映像信号が上流から下流に送信されるようにループ状にデイジーチェーン接続され、前記映像信号が表す映像を表示可能な複数の表示装置と、
前記複数の表示装置のそれぞれに対して前記映像信号を伝送する複数のソース機器と、
を具備し、
前記複数の表示装置の各々は、
制御コマンドを受信したときに、前記映像信号が表す前記映像を表示して、前記制御コマンドを下流に送信する個別表示モード、または、前記映像信号が表す前記映像のうちの、自身の設置位置に対応する部分を拡大した部分拡大画面を表示して、前記制御コマンドを下流に送信するエンラージ表示モードを実行する第１制御部と、
前記制御コマンドを受信したときに、前記制御コマンドが自身で送信したコマンドである場合、前記制御コマンドを破棄する第２制御部と、
を具備することを特徴とする表示システム。
【請求項５】
前記第２制御部は、前記制御コマンドを受信したときに、前記制御コマンドの送信元が自身と同じである場合、前記制御コマンドを破棄することを特徴とする請求項４に記載の表示システム。
【請求項６】
前記第２制御部は、前記制御コマンドを送信してから所定時間内に受信した場合、前記制御コマンドを破棄することを特徴とする請求項４に記載の表示システム。
【請求項７】
前記複数の表示装置が前記個別表示モードを実行しているときに、前記複数のソース機器のうちの第１ソース機器が、前記制御コマンドとして、前記エンラージ表示モードを実行させるためのエンラージ表示コマンドを送信した場合、前記複数の表示装置のうちの、前記第１ソース機器に対応する第１表示装置の前記第１制御部は、前記第１ソース機器から前記エンラージ表示コマンドを受信したときに前記エンラージ表示モードを実行し、
前記複数の表示装置のうちの、前記第１表示装置以外の表示装置の前記第１制御部は、それぞれ、前記上流から前記エンラージ表示コマンドを受信したときに、前記複数のソース機器のうちの、前記第１ソース機器以外のソース機器に対して、前記映像信号の出力を停止するための映像出力停止要求を送信すると共に、前記エンラージ表示モードを実行し、
前記第１表示装置の前記第２制御部は、自身で送信した前記エンラージ表示コマンドを前記上流から受信したときに、前記エンラージ表示コマンドを破棄することを特徴とする請求項４から６のいずれか一項に記載の表示システム。
【請求項８】
前記複数の表示装置が前記エンラージ表示モードを実行しているときに、前記複数のソース機器のうちの第２ソース機器が前記映像信号の出力を再開すると共に、前記制御コマンドとして、前記個別表示モードを実行させるための個別表示コマンドを送信した場合、前記複数の表示装置のうちの、前記第２ソース機器に対応する第２表示装置の前記第１制御部は、前記個別表示コマンドを受信したときに前記個別表示モードを実行し、
前記複数の表示装置のうちの、前記第２表示装置以外の表示装置の前記第１制御部は、それぞれ、前記上流から前記個別表示コマンドを受信したときに、前記複数のソース機器のうちの、前記第２ソース機器以外のソース機器に対して、前記映像信号の出力を再開するための映像出力再開要求を送信すると共に、前記個別表示モードを実行し、
前記第２表示装置の前記第２制御部は、自身で送信した前記個別表示コマンドを前記上流から受信したときに、前記個別表示コマンドを破棄することを特徴とする請求項４から７のいずれか一項に記載の表示システム。
【請求項９】
前記複数の表示装置と前記複数のソース機器とは、各々独立した通信ネットワークを介して接続されていることを特徴とする請求項４から８のいずれか一項に記載の表示システム。
【請求項１０】
前記複数の表示装置と前記複数のソース機器とは、同一の通信ネットワークを介して接続されていることを特徴とする請求項４から８のいずれか一項に記載の表示システム。
【請求項１１】
映像信号が上流から下流に送信されるようにループ状にデイジーチェーン接続され、前記映像信号が表す映像を表示可能な複数の表示装置と、前記複数の表示装置のそれぞれに対して前記映像信号を伝送する複数のソース機器と、を具備する表示システムに適用される表示装置の表示方法であって、
制御コマンドを受信したときに、前記映像信号が表す前記映像を表示して、前記制御コマンドを下流に送信する個別表示モード、または、前記映像信号が表す前記映像のうちの、自身の設置位置に対応する部分を拡大した部分拡大画面を表示して、前記制御コマンドを下流に送信するエンラージ表示モードを実行するステップと、
前記制御コマンドを受信したときに、前記制御コマンドが自身で送信したコマンドである場合、前記制御コマンドを破棄するステップと、
を具備することを特徴とする表示方法。
【発明の詳細な説明】
【技術分野】
【０００１】
本発明は、複数の表示装置により表示画面を表示する表示システムに適用される表示装置などに関する。
【背景技術】
【０００２】
警察や警備等において、複数のディスプレイ（またはモニター）を接続したマルチディスプレイ（またはマルチモニター）を使用して、複数の映像をそれぞれ複数のディスプレイで表示したり、１つの映像を複数のディスプレイにより大画面として表示したりするユースケースがある。このユースケースを実現するために、従来の表示システムでは、ＭＤＭＩ（High-Definition Multimedia Interface）の映像スイッチ（以下、ＭＤＭＩスイッチ）や、そのＭＤＭＩスイッチを制御する制御用コンピュータが必要であった。
【０００３】
従来の表示システムでは、図２６、２７に示すように、複数の表示装置１０００ａ〜１０００ｄと、複数のソース機器２０００ａ〜２０００ｄと、ＭＤＭＩスイッチ３０００と、制御用コンピュータ４０００とを具備している。
【０００４】
複数の表示装置１０００ａ〜１０００ｄは、映像ケーブルおよびＲＳ−２３２Ｃケーブルによりデイジーチェーン接続されている。ここで、複数の表示装置１０００ａ〜１０００ｄは、ループ状に接続されていない。具体的には、表示装置１０００ａ〜１０００ｃの出力端子（図示しない）は、それぞれ、映像ケーブルおよびＲＳ−２３２Ｃケーブルにより表示装置１０００ｂ〜１０００ｄの入力端子（図示しない）と接続されていて、表示装置１０００ｄの出力端子（図示しない）と表示装置１０００ａの入力端子（図示しない）とは接続されていない。
【０００５】
複数のソース機器２０００ａ〜２０００ｄは、それぞれ、ＭＤＭＩケーブルにより、ＭＤＭＩスイッチ３０００の複数の入力端子に接続されている。複数のソース機器２０００ａ〜２０００ｄの各々は、映像を表す映像信号を出力する。ＭＤＭＩスイッチ３０００の複数の出力端子は、それぞれ、ＭＤＭＩケーブルにより、複数の表示装置１０００ａ〜１０００ｄに接続されている。
【０００６】
制御用コンピュータ４０００は、ＲＳ−２３２Ｃケーブルにより、ＭＤＭＩスイッチ３０００と、複数の表示装置１０００ａ〜１０００ｄのうちの表示装置１０００ａとに接続されている。すなわち、制御用コンピュータ４０００は、特定の表示装置として表示装置１０００ａを指定している。制御用コンピュータ４０００は、複数の表示装置１０００ａ〜１０００ｄによって個別表示モードまたはエンラージ表示モードが実行されるように、ＭＤＭＩスイッチ３０００を制御する。
【０００７】
図２６に示すように、制御用コンピュータ４０００は、複数の表示装置１０００ａ〜１０００ｄに対して個別表示モードを実行させる場合、複数のソース機器２０００ａ〜２０００ｄと複数の表示装置１０００ａ〜１０００ｄとがそれぞれＭＤＭＩケーブルを介して接続されるように、ＭＤＭＩスイッチ３０００を制御する。個別表示モードにおいて、表示装置１０００ａ〜１０００ｄは、それぞれ、ソース機器２０００ａ〜２０００ｄから送信された映像信号が表す映像を表示する。
【０００８】
図２７に示すように、制御用コンピュータ４０００は、複数の表示装置１０００ａ〜１０００ｄに対してエンラージ表示モードを実行させる場合、例えば複数のソース機器２０００ａ〜２０００ｄのうちのソース機器２０００ａと、複数の表示装置１０００ａ〜１０００ｄのうちの、特定の表示装置である表示装置１０００ａとがＭＤＭＩケーブルを介して接続されるように、ＭＤＭＩスイッチ３０００を制御する。また、制御用コンピュータ４０００は、エンラージ表示モードを実行するためのエンラージ表示コマンドを、ＲＳ−２３２Ｃケーブルを介して、複数の表示装置１０００ａ〜１０００ｄのうちの、特定の表示装置である表示装置１０００ａに送信する。エンラージ表示モードにおいて、表示装置１０００ａ〜１０００ｄは、同じ映像信号を映像ケーブルにより上流から受信し、その映像信号を映像ケーブルにより下流に送信する。表示装置１０００ａ〜１０００ｄは、マルチディスプレイとして設置される設置位置が設定されていて、エンラージ表示コマンドを受信したときに、ソース機器２０００ａ〜２０００ｄのうちのソース機器２０００ａから送信された映像信号が表す映像のうちの、自身の設置位置に対応する部分を拡大した部分拡大画面を表示する。すなわち、表示装置１０００ａ〜１０００ｄに表示される部分拡大画面により表示画面が構成される。表示装置１０００ａ〜１０００ｃは、それぞれ、そのエンラージ表示コマンドを下流の表示装置１０００ｂ〜１０００ｄに送信する。
【０００９】
なお、特許文献１には、デイジーチェーン接続された複数の表示装置１５００ａ〜１５００ｄの利点を活かし、各表示装置１５００ａ〜１５００ｄ内のスイッチを制御することにより異なる映像を表示することができるシステムが開示されている。具体的には、複数の表示装置１５００ａ〜１５００ｄのうちの表示装置１５００ａは、複数のソース機器２５００ａ〜２０００ｄのうちのソース機器２５００ａから送信された映像信号「Ａ」が表す映像を表示し、その映像信号「Ａ」を下流の表示装置１５００ｂに出力する。表示装置１５００ｂは、スイッチ制御により、上流の表示装置１５００ａから出力された映像信号「Ａ」ではなく、ソース機器２５００ｂから送信された映像信号「Ｂ」を選択し、その映像信号「Ｂ」が表す映像を表示し、上流の表示装置１５００ａから出力された映像信号「Ａ」を下流の表示装置１５００ｃに出力する。表示装置１５００ｃは、スイッチ制御により、ソース機器２５００ｃから送信された映像信号「Ｃ」ではなく、上流の表示装置１５００ｂから出力された映像信号「Ａ」を選択し、その映像信号「Ａ」が表す映像を表示し、上流の表示装置１５００ｂから出力された映像信号「Ａ」を下流の表示装置１５００ｄに出力する。表示装置１５００ｄは、スイッチ制御により、ソース機器２５００ｄから送信された映像信号「Ｄ」ではなく、上流の表示装置１５００ｃから出力された映像信号「Ａ」を選択し、その映像信号「Ａ」が表す映像を表示し、上流の表示装置１５００ｃから出力された映像信号「Ａ」を下流の表示装置１５００ａに出力する。
【先行技術文献】
【特許文献】
【００１０】
【特許文献１】特開２００３−３４５３２７号公報
【発明の概要】
【発明が解決しようとする課題】
【００１１】
しかし、従来の表示システムでは、ＭＤＭＩスイッチ３０００や、そのＭＤＭＩスイッチ３０００を制御する制御用コンピュータ４０００が必要なシステムである。また、複数の表示装置１０００ａ〜１０００ｄは、デイジーチェーン接続されているが、ループ状に接続されていない。このため、制御用コンピュータ４０００が複数の表示装置１０００ａ〜１０００ｄに対してエンラージ表示モードを実行させる場合、複数の表示装置１０００ａ〜１０００ｄのうちの、特定の表示装置である表示装置１０００ａに映像信号を出力する必要がある。すなわち、複数のソース機器２０００ａ〜２０００ｄのうちの１つのソース機器（この場合、ソース機器２０００ａ）から送信された映像信号は、複数の表示装置１０００ａ〜１０００ｄのうちの、特定の表示装置である表示装置１０００ａに入力しなければならない。
【００１２】
特許文献１に記載された技術では、複数の表示装置１５００ａ〜１５００ｄは、入力される２つの映像信号（それぞれ、複数のソース機器２５００ａ〜２０００ｄからの映像信号、および、上流の表示装置１５００ｄ、１５００ａ〜１５００ｃからの映像信号）のうちの１つの映像信号をスイッチ制御により選択する必要がある。また、特許文献１に記載された技術では、複数の表示装置１５００ａ〜１５００ｄ内のスイッチを制御するための制御用コンピュータが必要と思われる。
【００１３】
本発明は、上記従来の問題点に鑑みてなされたものであって、ループ状にデイジーチェーン接続された複数の表示装置に対してエンラージ表示モードを実行させる場合、ソース機器から送信される映像信号を任意の表示装置に入力することができる表示システムに適用される表示装置などを提供することを目的とする。
【課題を解決するための手段】
【００１４】
本発明の表示装置は、映像信号が上流から下流に送信されるようにループ状にデイジーチェーン接続され、前記映像信号が表す映像を表示可能な複数の表示装置と、前記複数の表示装置のそれぞれに対して前記映像信号を伝送する複数のソース機器と、を具備する表示システムに適用される表示装置であって、制御コマンドを受信したときに、前記映像信号が表す前記映像を表示して、前記制御コマンドを下流に送信する個別表示モード、または、前記映像信号が表す前記映像のうちの、自身の設置位置に対応する部分を拡大した部分拡大画面を表示して、前記制御コマンドを下流に送信するエンラージ表示モードを実行する第１制御部と、前記制御コマンドを受信したときに、前記制御コマンドが自身で送信したコマンドである場合、前記制御コマンドを破棄する第２制御部と、を具備することを特徴とする。
【００１５】
本発明の表示システムは、映像信号が上流から下流に送信されるようにループ状にデイジーチェーン接続され、前記映像信号が表す映像を表示可能な複数の表示装置と、前記複数の表示装置のそれぞれに対して前記映像信号を伝送する複数のソース機器と、を具備し、前記複数の表示装置の各々は、制御コマンドを受信したときに、前記映像信号が表す前記映像を表示して、前記制御コマンドを下流に送信する個別表示モード、または、前記映像信号が表す前記映像のうちの、自身の設置位置に対応する部分を拡大した部分拡大画面を表示して、前記制御コマンドを下流に送信するエンラージ表示モードを実行する第１制御部と、前記制御コマンドを受信したときに、前記制御コマンドが自身で送信したコマンドである場合、前記制御コマンドを破棄する第２制御部と、を具備することを特徴とする。
【００１６】
本発明の表示方法は、映像信号が上流から下流に送信されるようにループ状にデイジーチェーン接続され、前記映像信号が表す映像を表示可能な複数の表示装置と、前記複数の表示装置のそれぞれに対して前記映像信号を伝送する複数のソース機器と、を具備する表示システムに適用される表示装置の表示方法であって、制御コマンドを受信したときに、前記映像信号が表す前記映像を表示して、前記制御コマンドを下流に送信する個別表示モード、または、前記映像信号が表す前記映像のうちの、自身の設置位置に対応する部分を拡大した部分拡大画面を表示して、前記制御コマンドを下流に送信するエンラージ表示モードを実行するステップと、前記制御コマンドを受信したときに、前記制御コマンドが自身で送信したコマンドである場合、前記制御コマンドを破棄するステップと、を具備することを特徴とする。
【発明の効果】
【００１７】
このように、本発明では、制御コマンドが自身で送信したコマンドであるときに、その制御コマンドを破棄するため、ループ状にデイジーチェーン接続された複数の表示装置に対してエンラージ表示モードを実行させる場合、ソース機器から送信される映像信号を任意の表示装置に入力することができる。
【図面の簡単な説明】
【００１８】
【図１】第１実施形態に係る表示システムの概略を説明するための図である。
【図２】第１実施形態に係る表示システムのソース機器の機能構成を示すブロック図である。
【図３】第１実施形態に係る表示システムの表示装置の機能構成を示すブロック図である。
【図４】第１実施形態に係る表示システムの表示装置の動作として、個別表示モードからエンラージ表示モードに切り替わる場合の表示処理を示すフローチャートである。
【図５】第１実施形態に係る表示システムの表示装置の動作として、エンラージ表示モードから個別表示モードに切り替わる場合の表示処理を示すフローチャートである。
【図６】第１実施形態に係る表示システムの動作例として、個別表示モードからエンラージ表示モードに切り替わる場合を説明するための図である。
【図７】第１実施形態に係る表示システムの動作例として、個別表示モードからエンラージ表示モードに切り替わる場合を説明するための図である。
【図８】第１実施形態に係る表示システムの動作例として、個別表示モードからエンラージ表示モードに切り替わる場合を説明するための図である。
【図９】第１実施形態に係る表示システムの動作例として、個別表示モードからエンラージ表示モードに切り替わる場合を説明するための図である。
【図１０】第１実施形態に係る表示システムの動作例として、エンラージ表示モードから個別表示モードに切り替わる場合を説明するための図である。
【図１１】第１実施形態に係る表示システムの動作例として、エンラージ表示モードから個別表示モードに切り替わる場合を説明するための図である。
【図１２】第１実施形態に係る表示システムの動作例として、エンラージ表示モードから個別表示モードに切り替わる場合を説明するための図である。
【図１３】第１実施形態に係る表示システムの動作例として、エンラージ表示モードから個別表示モードに切り替わる場合を説明するための図である。
【図１４】第２実施形態に係る表示システムの表示装置の動作として、個別表示モードからエンラージ表示モードに切り替わる場合の表示処理を示すフローチャートである。
【図１５】第２実施形態に係る表示システムの表示装置の動作として、エンラージ表示モードから個別表示モードに切り替わる場合の表示処理を示すフローチャートである。
【図１６】第３実施形態に係る表示システムの概略を説明するための図である。
【図１７】第３実施形態に係る表示システムの制御用コンピュータの機能構成を示すブロック図である。
【図１８】第３実施形態に係る表示システムの動作例として、個別表示モードからエンラージ表示モードに切り替わる場合を説明するための図である。
【図１９】第３実施形態に係る表示システムの動作例として、個別表示モードからエンラージ表示モードに切り替わる場合を説明するための図である。
【図２０】第３実施形態に係る表示システムの動作例として、個別表示モードからエンラージ表示モードに切り替わる場合を説明するための図である。
【図２１】第３実施形態に係る表示システムの動作例として、個別表示モードからエンラージ表示モードに切り替わる場合を説明するための図である。
【図２２】第３実施形態に係る表示システムの動作例として、エンラージ表示モードから個別表示モードに切り替わる場合を説明するための図である。
【図２３】第３実施形態に係る表示システムの動作例として、エンラージ表示モードから個別表示モードに切り替わる場合を説明するための図である。
【図２４】第３実施形態に係る表示システムの動作例として、エンラージ表示モードから個別表示モードに切り替わる場合を説明するための図である。
【図２５】第３実施形態に係る表示システムの動作例として、エンラージ表示モードから個別表示モードに切り替わる場合を説明するための図である。
【図２６】従来の表示システムにおける個別表示を説明するための図である。
【図２７】従来の表示システムにおけるエンラージ表示（マルチ表示）を説明するための図である。
【図２８】従来の表示システムとして、特許文献１に開示された技術を説明するための図である。
【発明を実施するための形態】
【００１９】
以下に、本発明の実施の形態について、図を参照しながら詳細に説明する。以下の説明では、本発明の表示システムを例に説明する。なお、本実施形態は、本発明を説明するための一例であり、実施形態の内容に限定されないことは勿論である。
【００２０】
［１．  第１実施形態］
まず、第１実施形態について説明する。第１実施形態では、映像信号が上流から下流に送信されるようにループ状にデイジーチェーン接続された複数の表示装置と、複数の表示装置のそれぞれに対して映像信号を出力する複数のソース機器とは、各々独立した通信ネットワークを介して接続されている。複数の表示装置の各々は、制御コマンドを受信したときに、映像信号が表す映像を表示して、制御コマンドを下流に送信する個別表示モード、または、映像信号が表す映像のうちの、自身の設置位置に対応する部分を拡大した部分拡大画面を表示して、制御コマンドを下流に送信するエンラージ表示モードを実行する。ここで、複数の表示装置のうちの、最初に制御コマンドを送信した表示装置（送信元の表示装置）は、制御コマンドを受信したときに、その制御コマンドの送信元が自身と同じである場合、制御コマンドが自身で送信したコマンドであるため、その制御コマンドを破棄する。
【００２１】
［１．１  全体構成］
まず、全体構成について図１を参照して説明する。図１は、第１実施形態に係る表示システムの概略を説明するための図である。表示システムは、複数の表示装置１００と、複数のソース機器２００と、複数の通信ネットワーク３００とを具備している。
【００２２】
複数の表示装置１００は、２×２や３×３のマルチディスプレイとして使用される。本実施形態では、２×２のマルチディスプレイとして使用され、複数の表示装置１００を４台の表示装置１００ａ〜１００ｄとする。表示装置１００ａ〜１００ｄは、映像信号が上流から下流に送信されるようにループ状にデイジーチェーン接続されている。
【００２３】
複数のソース機器２００は、コンピュータであり、複数のソース機器２００を４台のソース機器２００ａ〜２００ｄとする。ソース機器２００ａ〜２００ｄは、表示装置１００ａ〜１００ｄのそれぞれに対して映像信号を出力する。
【００２４】
複数の通信ネットワーク３００は、映像信号および制御コマンドを伝送する有線／無線ＬＡＮ（Local Area Network）等のネットワークである。複数の通信ネットワーク３００を通信ネットワーク３００ａ〜３００ｄとする。複数の表示装置１００ａ〜１００ｄと複数のソース機器２００ａ〜２００ｄとは、各々独立した通信ネットワーク３００ａ〜３００ｄを介して接続されている。
【００２５】
複数の表示装置１００ａ〜１００ｄと複数のソース機器２００ａ〜２００ｄとが各々独立した通信ネットワーク３００ａ〜３００ｄに接続されている場合、例えば、小中規模のミーティングがユースケースである。ディスプレイ間を接続するのみで余計な配線が不要であり、どのソース機器２００からもエンラージ表示コマンドＣ１００（図７を参照）を送信することができるメリットがある。
【００２６】
［１．２  機能構成］
続いて、各装置の機能構成について図を参照して説明する。
【００２７】
［１．２．１  ソース機器２００］
図２は、第１実施形態に係る表示システムのソース機器２００の機能構成を示すブロック図である。図２に示すように、ソース機器２００は、制御部２１０と、記憶部２２０と、通信部２３０とを備えている。
【００２８】
制御部２１０は、ソース機器２００の全体を制御するための機能部である。制御部２１０は、記憶部２２０に記憶されている各種プログラムを読み出して実行することにより各種機能を実現しており、例えばＣＰＵ（Central Processing Unit）等により構成されている。
【００２９】
記憶部２２０は、ソース機器２００の動作に必要な各種プログラムや、各種データが記憶されている機能部である。記憶部２２０は、例えば、半導体メモリや、ＨＤＤ（Hard Disk Drive）等により構成されている。
【００３０】
通信部２３０は、映像信号を、通信ネットワーク３００を介して表示装置１００に送信する。
【００３１】
ここで、複数の表示装置１００である複数の表示装置１００ａ〜１００ｄは、映像ケーブルおよびＲＳ−２３２Ｃケーブルにより、ループ状にデイジーチェーン接続されている。例えば、映像ケーブルとしては、ＤＶＩ（Digital Visual Interface）ケーブルが使用されるが、ＨＤＭＩ（High-Definition Multimedia Interface）ケーブル、DisplayPortケーブル、アナログＲＧＢケーブルでもよい。
【００３２】
例えば、個別表示モードにおいて、表示装置１００ａ〜１００ｄは、それぞれ、制御コマンドとして、個別表示コマンドＣ１２０（図１１を参照）を受信したときに、ソース機器２００ａ〜２００ｄから送信された映像信号が表す映像を表示して、制御コマンド（この場合、個別表示コマンドＣ１２０（図１２を参照））を下流に送信する。ここで、複数の表示装置１００ａ〜１００ｄのうちの、最初に制御コマンドを送信した表示装置（送信元の表示装置）は、制御コマンド（個別表示コマンドＣ１２０（図１２））を受信したときに、その制御コマンドの送信元が自身と同じである場合、制御コマンドが自身で送信したコマンドであるため、その制御コマンドを破棄する。
【００３３】
例えば、エンラージ表示モードにおいて、表示装置１００ａ〜１００ｄは、同じ映像信号を映像ケーブルにより上流から受信し、その映像信号を映像ケーブルにより下流に送信する。表示装置１００ａ〜１００ｄは、マルチディスプレイとして設置される設置位置が設定されていて、制御コマンドとして、エンラージ表示コマンドＣ１００（図７を参照）を受信したときに、ソース機器２００ａ〜２００ｄのうちの任意のソース機器から送信された映像信号が表す映像のうちの、自身の設置位置に対応する部分を拡大した部分拡大画面を表示する。すなわち、表示装置１００ａ〜１００ｄに表示される部分拡大画面により表示画面が構成される。表示装置１００ａ〜１００ｄは、その制御コマンド（この場合、エンラージ表示コマンドＣ１００（図８を参照））を下流に送信する。ここで、複数の表示装置１００ａ〜１００ｄのうちの、最初に制御コマンドを送信した表示装置（送信元の表示装置）は、制御コマンド（エンラージ表示コマンドＣ１００（図８））を受信したときに、その制御コマンドの送信元が自身と同じである場合、制御コマンドが自身で送信したコマンドであるため、その制御コマンドを破棄する。
【００３４】
［１．２．２  表示装置１００］
図３は、第１実施形態に係る表示システムの表示装置１００の機能構成を示すブロック図である。図３に示すように、表示装置１００は、ディスプレイ１１０と、制御部１２０とを備えている。ディスプレイ１１０は、液晶ディスプレイ（ＬＣＤ；Liquid Crystal Display）である。
【００３５】
制御部１２０は、映像入力端子１２１と、マルチ表示用映像入力端子１２２と、マルチ表示用映像出力端子１２３と、映像／コマンド分離部１２４と、映像スイッチ１２５と、映像処理部１２６と、コマンド解析部１２７と、制御コマンド入力端子１２８と、制御コマンド出力端子１２９と、図示しないＣＰＵと、図示しない記憶部とを備えている。
【００３６】
ＣＰＵは、表示装置１００の全体を制御するための機能部であり、記憶部に記憶されている各種プログラムを読み出して実行することにより各種機能を実現する。
【００３７】
映像入力端子１２１は、ソース機器２００から通信ネットワーク３００を介して送信された映像データを入力（受信）するための端子である。映像データは、制御コマンドが映像信号に重畳されたデータである。ソース機器２００から出力される制御コマンドとしては、エンラージ表示コマンドＣ１００（図７を参照）や個別表示コマンドＣ１２０（図１１を参照）が挙げられる。
【００３８】
マルチ表示用映像入力端子１２２は、エンラージ表示モードが実行されるときに、上流の表示装置１００から映像ケーブル（本実施形態ではＤＶＩケーブル）を介して送信された映像信号を入力（受信）するための端子である。
【００３９】
マルチ表示用映像出力端子１２３は、エンラージ表示モードが実行されるときに、映像ケーブル（本実施形態ではＤＶＩケーブル）を介して下流の表示装置１００に映像データを出力（送信）するための端子である。
【００４０】
映像／コマンド分離部１２４は、映像入力端子１２１により入力された映像データを、制御コマンドと映像信号とに分離する装置である。
【００４１】
映像スイッチ１２５は、映像／コマンド分離部１２４により分離された映像信号と、マルチ表示用映像入力端子１２２により入力された映像信号との一方の映像信号を、コマンド解析部１２７からの指示に応じて選択するスイッチである。
【００４２】
映像処理部１２６は、ディスプレイ１１０に対して、映像スイッチ１２５からの映像信号が表す映像をスケーリング・画質変換・ＯＳＤ（On Screen Display）表示を行なう装置である。
【００４３】
制御コマンド入力端子１２８は、上流の表示装置１００からＲＳ−２３２Ｃケーブルを介して送信された制御コマンドを入力（受信）するための端子である。上流の表示装置１００から出力される制御コマンドとしては、エンラージ表示コマンドＣ１００（図８を参照）や個別表示コマンドＣ１２０（図１２を参照）が挙げられる。
【００４４】
制御コマンド出力端子１２９は、ＲＳ−２３２Ｃケーブルを介して下流の表示装置１００に制御コマンドを出力（送信）するための端子である。下流の表示装置１００に出力する制御コマンドとしては、エンラージ表示コマンドＣ１００（図８を参照）や個別表示コマンドＣ１２０（図１２を参照）が挙げられる。
【００４５】
コマンド解析部１２７は、映像／コマンド分離部１２４により分離された制御コマンドがエンラージ表示コマンドＣ１００（図７を参照）である場合、映像／コマンド分離部１２４により分離された映像信号を選択するための指示を映像スイッチ１２５に出力する。このとき、コマンド解析部１２７は、自身のアドレスを含む制御コマンド（エンラージ表示コマンドＣ１００（図７））を制御コマンド出力端子１２９に出力することにより、エンラージ表示コマンドＣ１００（図７）を下流の表示装置１００に通知する。
【００４６】
コマンド解析部１２７は、映像／コマンド分離部１２４により分離された制御コマンドが個別表示コマンドＣ１２０（図１１を参照）である場合、映像／コマンド分離部１２４により分離された映像信号を選択するための指示を映像スイッチ１２５に出力する。このとき、コマンド解析部１２７は、自身のアドレスを含む制御コマンド（個別表示コマンドＣ１２０（図１１））を制御コマンド出力端子１２９に出力することにより、個別表示コマンドＣ１２０（図１１）を下流の表示装置１００に通知する。この場合、コマンド解析部１２７は、通信ネットワーク３００を介してソース機器２００に、映像信号の出力を再開するための映像出力再開要求を出力する。
【００４７】
また、コマンド解析部１２７は、上流の表示装置１００から制御コマンド入力端子１２８により入力された制御コマンドがエンラージ表示コマンドＣ１００（図８を参照）であり、その制御コマンド（エンラージ表示コマンドＣ１００（図８））の送信元（例えば、アドレス）が自身と同じではない場合、マルチ表示用映像入力端子１２２により入力された映像信号を選択するための指示を映像スイッチ１２５に出力する。このとき、コマンド解析部１２７は、その制御コマンド（エンラージ表示コマンドＣ１００（図８））を制御コマンド出力端子１２９に出力することにより、エンラージ表示コマンドＣ１００（図８）を下流の表示装置１００に通知する。この場合、コマンド解析部１２７は、通信ネットワーク３００を介してソース機器２００に、映像信号の出力を停止するための映像出力停止要求Ｒ１００（図８を参照）を出力する。
【００４８】
また、コマンド解析部１２７は、上流の表示装置１００から制御コマンド入力端子１２８により入力された制御コマンドが個別表示コマンドＣ１２０（図１２を参照）であり、その制御コマンド（個別表示コマンドＣ１２０（図１２））の送信元（例えば、アドレス）が自身と同じではない場合、映像／コマンド分離部１２４により分離された映像信号を選択するための指示を映像スイッチ１２５に出力する。このとき、コマンド解析部１２７は、その制御コマンド（個別表示コマンドＣ１２０（図１２））を制御コマンド出力端子１２９に出力することにより、個別表示コマンドＣ１２０（図１２）を下流の表示装置１００に通知する。この場合、コマンド解析部１２７は、通信ネットワーク３００を介してソース機器２００に、映像信号の出力を再開するための映像出力再開要求Ｒ１２０（図１２を参照）を出力する。
【００４９】
ここで、コマンド解析部１２７は、制御コマンド入力端子１２８により入力された制御コマンド（エンラージ表示コマンドＣ１００（図８）または個別表示コマンドＣ１２０（図１２））の送信元（例えば、アドレス）が自身と同じである場合、その制御コマンドを破棄する。
【００５０】
［１．３  処理の流れ］
続いて、本実施形態における処理の流れについて、図を参照して説明する。
【００５１】
図４は、第１実施形態に係る表示システムの表示装置１００の動作として、個別表示モードからエンラージ表示モードに切り替わる場合の表示処理を示すフローチャートである。
【００５２】
表示装置１００の制御部１２０は、現在、個別表示モードを実行している（ステップＳ１００）。すなわち、個別表示モードにおいて、表示装置１００の制御部１２０は、制御コマンドを受信したときに、ソース機器２００から送信された映像信号が表す映像を表示して、制御コマンドを下流に送信する。個別表示モードにおいて、表示装置１００の制御部１２０は、制御コマンドである後述のエンラージ表示コマンドを受信しない場合（ステップＳ１０２−Ｎｏ、Ｓ１０６−Ｎｏ）、その個別表示モード（ステップＳ１００）を継続する。
【００５３】
個別表示モードにおいて、表示装置１００の制御部１２０は、ソース機器２００から通信ネットワーク３００を介して送信された映像データを映像入力端子１２１により受信する。制御部１２０の映像／コマンド分離部１２４は、映像入力端子１２１により入力された映像データを、制御コマンドであるエンラージ表示コマンドＣ１００（図７を参照）と、映像信号とに分離する（ステップＳ１０２−Ｙｅｓ）。制御部１２０のコマンド解析部１２７は、映像／コマンド分離部１２４により分離された制御コマンドがエンラージ表示コマンドＣ１００（図７）である場合、映像／コマンド分離部１２４により分離された映像信号を選択するための指示を映像スイッチ１２５に出力する。すなわち、制御部１２０は、表示モードを個別表示モードからエンラージ表示モードに切り替える。エンラージ表示モードにおいて、制御部１２０の映像処理部１２６は、ディスプレイ１１０に対して、映像スイッチ１２５からの映像信号が表す映像のうちの、自身の設置位置に対応する部分を拡大した部分拡大画面を表示する。ここで、制御部１２０の映像スイッチ１２５は、映像データをマルチ表示用映像出力端子１２３に出力することにより、下流の表示装置１００に映像データを伝送する。また、制御部１２０のコマンド解析部１２７は、その制御コマンド（エンラージ表示コマンドＣ１００（図７））を制御コマンド出力端子１２９に出力することにより、エンラージ表示コマンドＣ１００（図７）を下流の表示装置１００に通知する（ステップＳ１０４）。
【００５４】
一方、個別表示モードにおいて、表示装置１００の制御部１２０は、上流の表示装置１００から、制御コマンドであるエンラージ表示コマンドＣ１００（図８を参照）を制御コマンド入力端子１２８により受信する（ステップＳ１０２−Ｎｏ、Ｓ１０６−Ｙｅｓ）。その制御コマンド（エンラージ表示コマンドＣ１００（図８））の送信元（アドレス）が自身と同じではない場合（ステップＳ１０８−Ｎｏ）、制御部１２０のコマンド解析部１２７は、その制御コマンドが自身で送信したコマンドではないため、マルチ表示用映像入力端子１２２に映像をスイッチする。すなわち、マルチ表示用映像入力端子１２２により入力された映像信号を選択するための指示を映像スイッチ１２５に出力する（ステップＳ１１０）。すなわち、制御部１２０は、表示モードを個別表示モードからエンラージ表示モードに切り替える。エンラージ表示モードにおいて、制御部１２０の映像処理部１２６は、ディスプレイ１１０に対して、映像スイッチ１２５からの映像信号が表す映像のうちの、自身の設置位置に対応する部分を拡大した部分拡大画面を表示する。ここで、制御部１２０の映像スイッチ１２５は、映像データをマルチ表示用映像出力端子１２３に出力することにより、下流の表示装置１００に映像データを伝送する。また、制御部１２０のコマンド解析部１２７は、その制御コマンド（エンラージ表示コマンドＣ１００（図８））を制御コマンド出力端子１２９に出力することにより、エンラージ表示コマンドＣ１００（図８）を下流の表示装置１００に通知する（ステップＳ１１２）。この場合、コマンド解析部１２７は、通信ネットワーク３００を介してソース機器２００に、映像信号の出力を停止するための映像出力停止要求Ｒ１００（図８を参照）を出力する（ステップＳ１１４）。
【００５５】
ここで、表示装置１００の制御部１２０が、上流の表示装置１００からエンラージ表示コマンドＣ１００（図８）を制御コマンド入力端子１２８により受信したが（ステップＳ１０２−Ｎｏ、Ｓ１０６−Ｙｅｓ）、その制御コマンド（エンラージ表示コマンドＣ１００（図８））の送信元（アドレス）が自身と同じである場合（ステップＳ１０８−Ｙｅｓ）、制御部１２０のコマンド解析部１２７は、その制御コマンド（エンラージ表示コマンドＣ１００（図８））が自身で送信したコマンドであるため、そのエンラージ表示コマンドＣ１００（図８）を破棄する（ステップＳ１１６）。
【００５６】
図５は、第１実施形態に係る表示システムの表示装置１００の動作として、エンラージ表示モードから個別表示モードに切り替わる場合の表示処理を示すフローチャートである。
【００５７】
表示装置１００の制御部１２０は、現在、エンラージ表示モードを実行している（ステップＳ２００）。すなわち、エンラージ表示モードにおいて、表示装置１００の制御部１２０は、制御コマンドを受信したときに、映像信号が表す映像のうちの、自身の設置位置に対応する部分を拡大した部分拡大画面を表示して、制御コマンドを下流に送信する。エンラージ表示モードにおいて、表示装置１００の制御部１２０は、制御コマンドである後述の個別表示コマンドを受信しない場合（ステップＳ２０２−Ｎｏ、Ｓ２１０−Ｎｏ）、そのエンラージ表示モード（ステップＳ２００）を継続する。
【００５８】
エンラージ表示モードにおいて、表示装置１００の制御部１２０は、ソース機器２００から通信ネットワーク３００を介して送信された映像データを映像入力端子１２１により受信する。制御部１２０の映像／コマンド分離部１２４は、映像入力端子１２１により入力された映像データを、制御コマンドである個別表示コマンドＣ１２０（図１１を参照）と、映像信号とに分離する（ステップＳ２０２−Ｙｅｓ）。制御部１２０のコマンド解析部１２７は、映像／コマンド分離部１２４により分離された制御コマンドが個別表示コマンドＣ１２０（図１１）である場合、映像／コマンド分離部１２４により分離された映像信号を選択するための指示を映像スイッチ１２５に出力する。この場合、制御部１２０は、映像入力端子１２１に映像をスイッチする。すなわち、映像入力端子１２１により入力された映像データ（映像信号）を選択する（ステップＳ２０４）。また、制御部１２０は、表示モードをエンラージ表示モードから個別表示モードに切り替える。個別表示モードにおいて、制御部１２０の映像処理部１２６は、ディスプレイ１１０に対して、ソース機器２００から送信された映像信号が表す映像を表示する。また、制御部１２０のコマンド解析部１２７は、その制御コマンド（個別表示コマンドＣ１２０（図１１））を制御コマンド出力端子１２９に出力することにより、個別表示コマンドＣ１２０（図１１）を下流の表示装置１００に通知する（ステップＳ２０６）。この場合、コマンド解析部１２７は、通信ネットワーク３００を介してソース機器２００に、映像信号の出力を再開するための映像出力再開要求を出力する（ステップＳ２０８）。
【００５９】
一方、個別表示モードにおいて、表示装置１００の制御部１２０は、上流の表示装置１００から、制御コマンドである個別表示コマンドＣ１２０（図１２を参照）を制御コマンド入力端子１２８により受信する（ステップＳ２０２−Ｎｏ、Ｓ２１０−Ｙｅｓ）。その制御コマンド（個別表示コマンドＣ１２０（図１２））の送信元（アドレス）が自身と同じではない場合（ステップＳ２１２−Ｎｏ）、制御部１２０のコマンド解析部１２７は、その制御コマンドが自身で送信したコマンドではないため、映像／コマンド分離部１２４により分離された映像信号を選択するための指示を映像スイッチ１２５に出力する。すなわち、制御部１２０は、映像入力端子１２１により入力された映像データ（映像信号）を選択する（ステップＳ２０４）。また、制御部１２０は、表示モードをエンラージ表示モードから個別表示モードに切り替える。個別表示モードにおいて、制御部１２０の映像処理部１２６は、ディスプレイ１１０に対して、ソース機器２００から送信された映像信号が表す映像を表示する。また、制御部１２０のコマンド解析部１２７は、その制御コマンド（個別表示コマンドＣ１２０（図１１））を制御コマンド出力端子１２９に出力することにより、個別表示コマンドＣ１２０（図１１）を下流の表示装置１００に通知する（ステップＳ２０６）。この場合、コマンド解析部１２７は、通信ネットワーク３００を介してソース機器２００に、映像信号の出力を再開するための映像出力再開要求Ｒ１２０（図１２を参照）を出力する（ステップＳ２０８）。
【００６０】
ここで、表示装置１００の制御部１２０が、上流の表示装置１００から個別表示コマンドＣ１２０（図１２）を制御コマンド入力端子１２８により受信したが（ステップＳ２０２−Ｎｏ、Ｓ２１０−Ｙｅｓ）、その制御コマンド（個別表示コマンドＣ１２０（図１２））の送信元（アドレス）が自身と同じである場合（ステップＳ２１２−Ｙｅｓ）、制御部１２０のコマンド解析部１２７は、その制御コマンド（個別表示コマンドＣ１２０（図１２））が自身で送信したコマンドであるため、その個別表示コマンドＣ１２０（図１２）を破棄する（ステップＳ２１４）。
【００６１】
［１．４  動作例］
続いて、本実施形態における動作例について、図を参照して説明する。
【００６２】
［１．４．１  個別表示モードからエンラージ表示モードに切り替わる場合］
図６〜９は、第１実施形態に係る表示システムの動作例として、個別表示モードからエンラージ表示モードに切り替わる場合を説明するための図である。
【００６３】
まず、図６に示すように、複数の表示装置１００ａ〜１００ｄは、映像信号が上流から下流に送信されるようにループ状にデイジーチェーン接続されている。複数のソース機器２００ａ〜２００ｄは、それぞれ、通信ネットワーク３００ａ〜３００ｄを介して、複数の表示装置１００ａ〜１００ｄに接続され、映像信号を出力している。複数の表示装置１００ａ〜１００ｄは、個別表示モードを実行している場合、それぞれ、複数のソース機器２００ａ〜２００ｄから送信された映像信号が表す映像ＰＡ、ＰＢ、ＰＣ、ＰＤを表示している。
【００６４】
いま、図７に示すように、複数の表示装置１００ａ〜１００ｄが個別表示モードを実行しているときに、複数のソース機器２００ａ〜２００ｄのうちのソース機器２００ａが、制御コマンドとして、エンラージ表示モードを実行させるためのエンラージ表示コマンドＣ１００を送信したものとする。この場合、複数の表示装置１００ａ〜１００ｄのうちの、ソース機器２００ａに対応する表示装置１００ａは、ソース機器２００ａからエンラージ表示コマンドＣ１００を受信したときに、表示モードを個別表示モードからエンラージ表示モードに切り替える。
【００６５】
このとき、図８に示すように、表示装置１００ａは、エンラージ表示コマンドＣ１００を、複数の表示装置１００ａ〜１００ｄのうちの、下流の表示装置１００ｂに送信する。複数の表示装置１００ａ〜１００ｄのうちの、表示装置１００ａ以外の表示装置１００ｂ〜１００ｄは、それぞれ、上流の表示装置１００ａ〜１００ｃからエンラージ表示コマンドＣ１００を受信したときに、複数のソース機器２００ａ〜２００ｄのうちのソース機器２００ａ以外のソース機器２００ｂ〜２００ｄに対して、映像信号の出力を停止するための映像出力停止要求Ｒ１００を送信すると共に、表示モードを個別表示モードからエンラージ表示モードに切り替える。ここで、表示装置１００ａは、自身で送信したエンラージ表示コマンドＣ１００を上流の表示装置（この場合、表示装置１００ｄ）から受信したときに、エンラージ表示コマンドＣ１００を破棄する。
【００６６】
次に、図９に示すように、表示装置１００ａは、ソース機器２００ａから送信された映像信号が表す映像ＰＡのうちの、自身の設置位置に対応する部分を拡大した部分拡大画面を表示する。また、ソース機器２００ａ以外のソース機器２００ｂ〜２００ｄは、それぞれ、映像出力停止要求Ｒ１００に応じて映像信号の出力を停止する。表示装置１００ａ以外の表示装置１００ｂ〜１００ｄは、それぞれ、エンラージ表示コマンドＣ１００に応じて、上流の表示装置１００ａ〜１００ｃから送信された映像信号が表す映像ＰＡのうちの、自身の設置位置に対応する部分を拡大した部分拡大画面を表示する。
【００６７】
［１．４．２  エンラージ表示モードから個別表示モードに切り替わる場合］
図１０〜１３は、第１実施形態に係る表示システムの動作例として、エンラージ表示モードから個別表示モードに切り替わる場合を説明するための図である。
【００６８】
まず、図１０に示すように、複数の表示装置１００ａ〜１００ｄは、映像信号が上流から下流に送信されるようにループ状にデイジーチェーン接続されている。複数のソース機器２００ａ〜２００ｄは、それぞれ、通信ネットワーク３００ａ〜３００ｄを介して、複数の表示装置１００ａ〜１００ｄに接続されている。複数の表示装置１００ａ〜１００ｄは、エンラージ表示モードを実行している場合、それぞれ、ソース機器２００ａから送信された映像信号が表す映像ＰＡのうちの、自身の設置位置に対応する部分を拡大した部分拡大画面を表示している。
【００６９】
いま、図１１に示すように、複数の表示装置１００ａ〜１００ｄがエンラージ表示モードを実行しているときに、複数のソース機器２００ａ〜２００ｄのうちのソース機器２００ｂが、制御コマンドとして、個別表示モードを実行させるための個別表示コマンドＣ１２０を送信したものとする。この場合、複数の表示装置１００ａ〜１００ｄのうちの、ソース機器２００ｂに対応する表示装置１００ｂは、ソース機器２００ｂから個別表示コマンドＣ１２０を受信したときに、表示モードをエンラージ表示モードから個別表示モードに切り替える。
【００７０】
このとき、図１２に示すように、表示装置１００ｂは、個別表示コマンドＣ１２０を、複数の表示装置１００ａ〜１００ｄのうちの、下流の表示装置１００ｃに送信する。複数の表示装置１００ａ〜１００ｄのうちの、表示装置１００ｂ以外の表示装置１００ａ、１００ｃ、１００ｄは、それぞれ、上流の表示装置１００ｄ、１００ｂ、１００ｃから個別表示コマンドＣ１２０を受信したときに、複数のソース機器２００ａ〜２００ｄのうちのソース機器２００ｂ以外のソース機器２００ａ、２００ｃ、２００ｄに対して、映像信号の出力を再開するための映像出力再開要求Ｒ１２０を送信すると共に、表示モードをエンラージ表示モードから個別表示モードに切り替える。ここで、表示装置１００ｂは、自身で送信した個別表示コマンドＣ１２０を上流の表示装置（この場合、表示装置１００ａ）から受信したときに、個別表示コマンドＣ１２０を破棄する。
【００７１】
次に、図１３に示すように、ソース機器２００ｂ以外のソース機器２００ａ、２００ｃ、２００ｄは、それぞれ、映像出力再開要求Ｒ１２０に応じて映像信号の出力を再開する。複数の表示装置１００ａ〜１００ｄは、それぞれ、複数のソース機器２００ａ〜２００ｄから送信された映像信号が表す映像ＰＡ、ＰＢ、ＰＣ、ＰＤを表示する。
【００７２】
以上の説明により、第１実施形態に係る表示システムは、映像信号が上流から下流に送信されるようにループ状にデイジーチェーン接続され、映像信号が表す映像を表示可能な複数の表示装置１００ａ〜１００ｄと、複数のソース機器２００ａ〜２００ｄと、を具備している。複数のソース機器２００ａ〜２００ｄは、複数の表示装置１００ａ〜１００ｄのそれぞれに対して通信ネットワーク３００ａ〜３００ｄにより映像信号を伝送する。複数の表示装置１００ａ〜１００ｄと複数のソース機器２００ａ〜２００ｄとは、各々独立した通信ネットワーク３００ａ〜３００ｄを介して接続されている。複数の表示装置１００ａ〜１００ｄの各々は、第１制御部（制御部１２０）と、第２制御部（制御部１２０）と、を具備している。第１制御部（制御部１２０）は、制御コマンド（エンラージ表示コマンドＣ１００または個別表示コマンドＣ１２０）を受信したときに、映像信号が表す映像を表示して、その制御コマンドを下流に送信する個別表示モード、または、映像信号が表す映像のうちの、自身の設置位置に対応する部分を拡大した部分拡大画面を表示して、その制御コマンドを下流に送信するエンラージ表示モードを実行する。第２制御部（制御部１２０）は、制御コマンド（エンラージ表示コマンドＣ１００または個別表示コマンドＣ１２０）を受信したときに、その制御コマンドの送信元が自身と同じである場合、その制御コマンドが自身で送信したコマンドであるものとして、その制御コマンドを破棄する。
【００７３】
これにより、第１実施形態に係る表示システムでは、制御コマンド（エンラージ表示コマンドＣ１００または個別表示コマンドＣ１２０）の送信元が自身と同じであるときに、その制御コマンドを破棄するため、ループ状にデイジーチェーン接続された複数の表示装置１００ａ〜１００ｄに対してエンラージ表示モードを実行させる場合、ソース機器（例えば、ソース機器２００ａ）から送信される映像信号を任意の表示装置（例えば、表示装置１００ａ）に入力することができる。また、第１実施形態に係る表示システムでは、映像伝送として、各々独立した通信ネットワーク３００ａ〜３００ｄを用いているため、従来の表示システムのようなＭＤＭＩスイッチ３０００（図２６、２７）やそれを制御する制御用コンピュータ４０００（図２６、２７）を必要としない。また、第１実施形態に係る表示システムでは、ＭＤＭＩスイッチ３０００（図２６、２７）やそれを制御する制御用コンピュータ４０００（図２６、２７）を必要としないため、時間がかかる接続先の切り替え処理を短縮することができる。
【００７４】
［２．  第２実施形態］
続いて、第２実施形態について説明する。第１実施形態では、表示装置１００は、制御コマンド（エンラージ表示コマンドＣ１００または個別表示コマンドＣ１２０）を受信したときに、その制御コマンドの送信元が自身と同じである場合、制御コマンドが自身で送信したコマンドであるものとして、制御コマンドを破棄しているが、これに限定されない。第２実施形態では、表示装置１００は、制御コマンド（エンラージ表示コマンドＣ１００または個別表示コマンドＣ１２０）を受信したときに、その制御コマンドを送信してから所定時間内に受信した場合、自身で送信したコマンドであるものとして、制御コマンドを破棄する。第２実施形態では、第１実施形態と同一の処理については、同一の符号を付すことにより、その詳細な説明を省略する。
【００７５】
［２．１  処理の流れ］
続いて、本実施形態における処理の流れについて、図を参照して説明する。
【００７６】
図１４は、第２実施形態に係る表示システムの表示装置１００の動作として、個別表示モードからエンラージ表示モードに切り替わる場合の表示処理を示すフローチャートである。
【００７７】
まず、ステップＳ１００、Ｓ１０２−Ｎｏ、Ｓ１０６−Ｙｅｓが実行される。すなわち、個別表示モードにおいて、表示装置１００の制御部１２０は、上流の表示装置１００から、制御コマンドであるエンラージ表示コマンドＣ１００（図８を参照）を制御コマンド入力端子１２８により受信する。その制御コマンド（エンラージ表示コマンドＣ１００（図８））を送信してから所定時間内に受信していない場合（ステップＳ３０８−Ｎｏ）、制御部１２０のコマンド解析部１２７は、その制御コマンドが自身で送信したコマンドではないため、マルチ表示用映像入力端子１２２により入力された映像信号を選択するための指示を映像スイッチ１２５に出力する（ステップＳ１１０）。その後、ステップＳ１１２、Ｓ１１４が実行される。
【００７８】
ここで、表示装置１００の制御部１２０が、上流の表示装置１００からエンラージ表示コマンドＣ１００（図８）を制御コマンド入力端子１２８により受信したが（ステップＳ１０２−Ｎｏ、Ｓ１０６−Ｙｅｓ）、その制御コマンド（エンラージ表示コマンドＣ１００（図８））を送信してから所定時間内に受信した場合（ステップＳ３０８−Ｙｅｓ）、制御部１２０のコマンド解析部１２７は、その制御コマンド（エンラージ表示コマンドＣ１００（図８））が自身で送信したコマンドであるため、そのエンラージ表示コマンドＣ１００（図８）を破棄する（ステップＳ１１６）。
【００７９】
図１５は、第２実施形態に係る表示システムの表示装置１００の動作として、エンラージ表示モードから個別表示モードに切り替わる場合の表示処理を示すフローチャートである。
【００８０】
まず、ステップＳ２００、Ｓ２０２−Ｎｏ、Ｓ２１０−Ｙｅｓが実行される。すなわち、個別表示モードにおいて、表示装置１００の制御部１２０は、上流の表示装置１００から、制御コマンドである個別表示コマンドＣ１２０（図１２を参照）を制御コマンド入力端子１２８により受信する。その制御コマンド（個別表示コマンドＣ１２０（図１２））を送信してから所定時間内に受信していない場合（ステップＳ４１２−Ｎｏ）、制御部１２０のコマンド解析部１２７は、その制御コマンドが自身で送信したコマンドではないため、映像／コマンド分離部１２４により分離された映像信号を選択するための指示を映像スイッチ１２５に出力する。その後、ステップＳ２０４、Ｓ２０６、Ｓ２０８が実行される。
【００８１】
ここで、表示装置１００の制御部１２０が、上流の表示装置１００から個別表示コマンドＣ１２０（図１２）を制御コマンド入力端子１２８により受信したが（ステップＳ２０２−Ｎｏ、Ｓ２１０−Ｙｅｓ）、その制御コマンド（個別表示コマンドＣ１２０（図１２））を送信してから所定時間内に受信した場合（ステップＳ４１２−Ｙｅｓ）、制御部１２０のコマンド解析部１２７は、その制御コマンド（個別表示コマンドＣ１２０（図１２））が自身で送信したコマンドであるため、その個別表示コマンドＣ１２０（図１２）を破棄する（ステップＳ２１４）。
【００８２】
以上の説明により、第２実施形態に係る表示システムは、映像信号が上流から下流に送信されるようにループ状にデイジーチェーン接続され、映像信号が表す映像を表示可能な複数の表示装置１００ａ〜１００ｄと、複数のソース機器２００ａ〜２００ｄと、を具備している。複数のソース機器２００ａ〜２００ｄは、複数の表示装置１００ａ〜１００ｄのそれぞれに対して通信ネットワーク３００ａ〜３００ｄにより映像信号を伝送する。複数の表示装置１００ａ〜１００ｄと複数のソース機器２００ａ〜２００ｄとは、各々独立した通信ネットワーク３００ａ〜３００ｄを介して接続されている。複数の表示装置１００ａ〜１００ｄの各々は、第１制御部（制御部１２０）と、第２制御部（制御部１２０）と、を具備している。第１制御部（制御部１２０）は、制御コマンド（エンラージ表示コマンドＣ１００または個別表示コマンドＣ１２０）を受信したときに、映像信号が表す映像を表示して、その制御コマンドを下流に送信する個別表示モード、または、映像信号が表す映像のうちの、自身の設置位置に対応する部分を拡大した部分拡大画面を表示して、その制御コマンドを下流に送信するエンラージ表示モードを実行する。第２制御部（制御部１２０）は、制御コマンド（エンラージ表示コマンドＣ１００または個別表示コマンドＣ１２０）を受信したときに、その制御コマンドを送信してから所定時間内に受信した場合、その制御コマンドが自身で送信したコマンドであるものとして、その制御コマンドを破棄する。
【００８３】
これにより、第２実施形態に係る表示システムでは、制御コマンド（エンラージ表示コマンドＣ１００または個別表示コマンドＣ１２０）を送信してから所定時間内に受信したときに、その制御コマンドを破棄するため、ループ状にデイジーチェーン接続された複数の表示装置１００ａ〜１００ｄに対してエンラージ表示モードを実行させる場合、ソース機器（例えば、ソース機器２００ａ）から送信される映像信号を任意の表示装置（例えば、表示装置１００ａ）に入力することができる。また、第２実施形態に係る表示システムでは、映像伝送として、各々独立した通信ネットワーク３００ａ〜３００ｄを用いているため、従来の表示システムのようなＭＤＭＩスイッチ３０００（図２６、２７）やそれを制御する制御用コンピュータ４０００（図２６、２７）を必要としない。また、第２実施形態に係る表示システムでは、ＭＤＭＩスイッチ３０００（図２６、２７）やそれを制御する制御用コンピュータ４０００（図２６、２７）を必要としないため、時間がかかる接続先の切り替え処理を短縮することができる。
【００８４】
［３．  第３実施形態］
続いて、第３実施形態について説明する。第１実施形態では、複数の表示装置１００ａ〜１００ｄと複数のソース機器２００ａ〜２００ｄとは、各々独立した通信ネットワーク３００ａ〜３００ｄを介して接続されているが、これに限定されない。第３実施形態では、複数の表示装置１００ａ〜１００ｄと複数のソース機器２００ａ〜２００ｄとは、同一の通信ネットワークを介して接続されていてもよい。第３実施形態では、第１実施形態と同一の処理については、同一の符号を付すことにより、その詳細な説明を省略する。
【００８５】
［３．１  全体構成］
まず、全体構成について図１６を参照して説明する。図１６は、第３実施形態に係る表示システムの概略を説明するための図である。表示システムは、複数の表示装置１００（表示装置１００ａ〜１００ｄ）と、複数のソース機器２００（ソース機器２００ａ〜２００ｄ）と、制御用コンピュータ４００と、通信ネットワーク５００とを具備している。
【００８６】
通信ネットワーク５００は、映像信号および制御コマンドを伝送するためのアクセスポイント（ＡＰ）または／およびＨＵＢ等のネットワークである。例えば、複数のソース機器２００ａ〜２００ｄは、それぞれ、アクセスポイントに対してＳＳＩＤ（Service Set Identifier）で認証して、複数の表示装置１００ａ〜１００ｄに接続する。
【００８７】
複数の表示装置１００ａ〜１００ｄと複数のソース機器２００ａ〜２００ｄとが同一の通信ネットワーク５００に接続されている場合、例えば、制御用コンピュータ４００によるシステムの管理がユースケースである。ネットワークの配線が必要だが、ＡＰ／ＨＵＢへの接続だけでよい。
【００８８】
［３．２  機能構成］
続いて、各装置の機能構成について図を参照して説明する。
【００８９】
［３．２．１  制御用コンピュータ４００］
図１７は、第３実施形態に係る表示システムの制御用コンピュータ４００の機能構成を示すブロック図である。図１７に示すように、制御用コンピュータ４００は、制御部４１０と、記憶部４２０と、通信部４３０とを備えている。
【００９０】
制御部４１０は、制御用コンピュータ４００の全体を制御するための機能部である。制御部４１０は、記憶部４２０に記憶されている各種プログラムを読み出して実行することにより各種機能を実現しており、例えばＣＰＵ等により構成されている。
【００９１】
記憶部４２０は、制御用コンピュータ４００の動作に必要な各種プログラムや、各種データが記憶されている機能部である。記憶部４２０は、例えば、半導体メモリや、ＨＤＤ（Hard Disk Drive）等により構成されている。
【００９２】
通信部４３０は、エンラージ表示指示Ｉ１００（図１８を参照）または個別表示指示Ｉ１２０（図２２を参照）を、通信ネットワーク５００を介して、複数のソース機器２００ａ〜２００ｄのうちの１つのソース機器に送信する。
【００９３】
［３．３  動作例］
続いて、本実施形態における動作例について、図を参照して説明する。
【００９４】
［３．３．１  個別表示モードからエンラージ表示モードに切り替わる場合］
図１８〜２１は、第３実施形態に係る表示システムの動作例として、個別表示モードからエンラージ表示モードに切り替わる場合を説明するための図である。
【００９５】
まず、図１８に示すように、複数の表示装置１００ａ〜１００ｄは、映像信号が上流から下流に送信されるようにループ状にデイジーチェーン接続されている。複数のソース機器２００ａ〜２００ｄは、それぞれ、通信ネットワーク３００ａ〜３００ｄを介して、複数の表示装置１００ａ〜１００ｄに接続され、映像信号を出力している。複数の表示装置１００ａ〜１００ｄは、個別表示モードを実行している場合、それぞれ、複数のソース機器２００ａ〜２００ｄから送信された映像信号が表す映像ＰＡ、ＰＢ、ＰＣ、ＰＤを表示している。
【００９６】
いま、図１８に示すように、制御用コンピュータ４００は、エンラージ表示指示Ｉ１００を、通信ネットワーク５００を介して、複数のソース機器２００ａ〜２００ｄのうちのソース機器２００ａに送信したものとする。
【００９７】
このとき、図１９に示すように、複数のソース機器２００ａ〜２００ｄのうちのソース機器２００ａは、制御コマンドとして、エンラージ表示モードを実行させるためのエンラージ表示コマンドＣ１００を送信する。この場合、複数の表示装置１００ａ〜１００ｄのうちの、ソース機器２００ａに対応する表示装置１００ａは、ソース機器２００ａからエンラージ表示コマンドＣ１００を受信したときに、表示モードを個別表示モードからエンラージ表示モードに切り替える。
【００９８】
また、図２０に示すように、表示装置１００ａは、エンラージ表示コマンドＣ１００を、複数の表示装置１００ａ〜１００ｄのうちの、下流の表示装置１００ｂに送信する。複数の表示装置１００ａ〜１００ｄのうちの、表示装置１００ａ以外の表示装置１００ｂ〜１００ｄは、それぞれ、上流の表示装置１００ａ〜１００ｃからエンラージ表示コマンドＣ１００を受信したときに、複数のソース機器２００ａ〜２００ｄのうちのソース機器２００ａ以外のソース機器２００ｂ〜２００ｄに対して、映像信号の出力を停止するための映像出力停止要求Ｒ１００を送信すると共に、表示モードを個別表示モードからエンラージ表示モードに切り替える。ここで、表示装置１００ａは、自身で送信したエンラージ表示コマンドＣ１００を上流の表示装置（この場合、表示装置１００ｄ）から受信したときに、エンラージ表示コマンドＣ１００を破棄する。
【００９９】
次に、図２１に示すように、表示装置１００ａは、ソース機器２００ａから送信された映像信号が表す映像ＰＡのうちの、自身の設置位置に対応する部分を拡大した部分拡大画面を表示する。また、ソース機器２００ａ以外のソース機器２００ｂ〜２００ｄは、それぞれ、映像出力停止要求Ｒ１００に応じて映像信号の出力を停止する。表示装置１００ａ以外の表示装置１００ｂ〜１００ｄは、それぞれ、エンラージ表示コマンドＣ１００に応じて、上流の表示装置１００ａ〜１００ｃから送信された映像信号が表す映像ＰＡのうちの、自身の設置位置に対応する部分を拡大した部分拡大画面を表示する。
【０１００】
［３．３．２  エンラージ表示モードから個別表示モードに切り替わる場合］
図２２〜２５は、第３実施形態に係る表示システムの動作例として、エンラージ表示モードから個別表示モードに切り替わる場合を説明するための図である。
【０１０１】
まず、図２２に示すように、複数の表示装置１００ａ〜１００ｄは、映像信号が上流から下流に送信されるようにループ状にデイジーチェーン接続されている。複数のソース機器２００ａ〜２００ｄは、それぞれ、通信ネットワーク３００ａ〜３００ｄを介して、複数の表示装置１００ａ〜１００ｄに接続されている。複数の表示装置１００ａ〜１００ｄは、エンラージ表示モードを実行している場合、それぞれ、ソース機器２００ａから送信された映像信号が表す映像ＰＡのうちの、自身の設置位置に対応する部分を拡大した部分拡大画面を表示している。
【０１０２】
いま、図２２に示すように、制御用コンピュータ４００は、個別表示指示Ｉ１２０を、通信ネットワーク５００を介して、複数のソース機器２００ａ〜２００ｄのうちのソース機器２００ｂに送信したものとする。
【０１０３】
このとき、図２３に示すように、複数のソース機器２００ａ〜２００ｄのうちのソース機器２００ｂは、制御コマンドとして、個別表示モードを実行させるための個別表示コマンドＣ１２０を送信したものとする。この場合、複数の表示装置１００ａ〜１００ｄのうちの、ソース機器２００ｂに対応する表示装置１００ｂは、ソース機器２００ｂから個別表示コマンドＣ１２０を受信したときに、表示モードをエンラージ表示モードから個別表示モードに切り替える。
【０１０４】
また、図２４に示すように、表示装置１００ｂは、個別表示コマンドＣ１２０を、複数の表示装置１００ａ〜１００ｄのうちの、下流の表示装置１００ｃに送信する。複数の表示装置１００ａ〜１００ｄのうちの、表示装置１００ｂ以外の表示装置１００ａ、１００ｃ、１００ｄは、それぞれ、上流の表示装置１００ｄ、１００ｂ、１００ｃから個別表示コマンドＣ１２０を受信したときに、複数のソース機器２００ａ〜２００ｄのうちのソース機器２００ｂ以外のソース機器２００ａ、２００ｃ、２００ｄに対して、映像信号の出力を再開するための映像出力再開要求Ｒ１２０を送信すると共に、表示モードをエンラージ表示モードから個別表示モードに切り替える。ここで、表示装置１００ｂは、自身で送信した個別表示コマンドＣ１２０を上流の表示装置（この場合、表示装置１００ａ）から受信したときに、個別表示コマンドＣ１２０を破棄する。
【０１０５】
次に、図２５に示すように、ソース機器２００ｂ以外のソース機器２００ａ、２００ｃ、２００ｄは、それぞれ、映像出力再開要求Ｒ１２０に応じて映像信号の出力を再開する。複数の表示装置１００ａ〜１００ｄは、それぞれ、複数のソース機器２００ａ〜２００ｄから送信された映像信号が表す映像ＰＡ、ＰＢ、ＰＣ、ＰＤを表示する。
【０１０６】
以上の説明により、第３実施形態に係る表示システムは、映像信号が上流から下流に送信されるようにループ状にデイジーチェーン接続され、映像信号が表す映像を表示可能な複数の表示装置１００ａ〜１００ｄと、複数のソース機器２００ａ〜２００ｄと、を具備している。複数の表示装置１００ａ〜１００ｄと複数のソース機器２００ａ〜２００ｄとは、同一の通信ネットワーク５００を介して接続されている。複数のソース機器２００ａ〜２００ｄは、複数の表示装置１００ａ〜１００ｄのそれぞれに対して通信ネットワーク５００により映像信号を伝送する。複数の表示装置１００ａ〜１００ｄの各々は、第１制御部（制御部１２０）と、第２制御部（制御部１２０）と、を具備している。第１制御部（制御部１２０）は、制御コマンド（エンラージ表示コマンドＣ１００または個別表示コマンドＣ１２０）を受信したときに、映像信号が表す映像を表示して、その制御コマンドを下流に送信する個別表示モード、または、映像信号が表す映像のうちの、自身の設置位置に対応する部分を拡大した部分拡大画面を表示して、その制御コマンドを下流に送信するエンラージ表示モードを実行する。第２制御部（制御部１２０）は、制御コマンド（エンラージ表示コマンドＣ１００または個別表示コマンドＣ１２０）を受信したときに、その制御コマンドの送信元が自身と同じである場合、その制御コマンドが自身で送信したコマンドであるものとして、その制御コマンドを破棄する。または、第２制御部（制御部１２０）は、制御コマンド（エンラージ表示コマンドＣ１００または個別表示コマンドＣ１２０）を受信したときに、その制御コマンドを送信してから所定時間内に受信した場合、その制御コマンドが自身で送信したコマンドであるものとして、その制御コマンドを破棄する。
【０１０７】
これにより、第３実施形態に係る表示システムでは、制御コマンド（エンラージ表示コマンドＣ１００または個別表示コマンドＣ１２０）の送信元が自身と同じであるときに、または、その制御コマンドを送信してから所定時間内に受信したときに、その制御コマンドを破棄するため、ループ状にデイジーチェーン接続された複数の表示装置１００ａ〜１００ｄに対してエンラージ表示モードを実行させる場合、ソース機器（例えば、ソース機器２００ａ）から送信される映像信号を任意の表示装置（例えば、表示装置１００ａ）に入力することができる。また、第３実施形態に係る表示システムでは、映像伝送として、同一の通信ネットワーク５００を用いているため、従来の表示システムのようなＭＤＭＩスイッチ３０００（図２６、２７）やそれを制御する制御用コンピュータ４０００（図２６、２７）を必要としない。また、第３実施形態に係る表示システムでは、ＭＤＭＩスイッチ３０００（図２６、２７）やそれを制御する制御用コンピュータ４０００（図２６、２７）を必要としないため、時間がかかる接続先の切り替え処理を短縮することができる。
【０１０８】
［４．変形例］
本発明は上述した各実施の形態に限定されるものではなく、種々の変更が可能である。すなわち、本発明の要旨を逸脱しない範囲内において適宜変更した技術的手段を組み合わせて得られる実施の形態についても本発明の技術的範囲に含まれる。
【０１０９】
また、上述した実施形態は、説明した以外にも、矛盾のない範囲において適宜組み合わせて実行しても良いことは勿論である。
【０１１０】
また、実施形態において各装置で動作するプログラムは、上述した実施形態の機能を実現するように、ＣＰＵ等を制御するプログラム（コンピュータを機能させるプログラム）である。そして、これら装置で取り扱われる情報は、その処理時に一時的に一時記憶装置（例えば、ＲＡＭ）に蓄積され、その後、各種ＲＯＭ（Read Only Memory）やＨＤＤ（Hard Disc Drive）の記憶装置に格納され、必要に応じてＣＰＵによって読み出し、修正・書き込みが行なわれる。
【０１１１】
ここで、プログラムを格納する記録媒体としては、半導体媒体（例えば、ＲＯＭや、不揮発性のメモリカード等）、光記録媒体・光磁気記録媒体（例えば、ＤＶＤ（Digital Versatile Disc）、ＭＯ（Magneto Optical Disc）、ＭＤ（Mini Disc）、ＣＤ（Compact Disc）、ＢＤ等）、磁気記録媒体（例えば、磁気テープ、フレキシブルディスク等）等の何れであってもよい。また、ロードしたプログラムを実行することにより、上述した実施形態の機能が実現されるだけでなく、そのプログラムの指示に基づき、オペレーティングシステムあるいは他のアプリケーションプログラム等と共同して処理することにより、本発明の機能が実現される場合もある。
【０１１２】
また、市場に流通させる場合には、可搬型の記録媒体にプログラムを格納して流通させたり、インターネット等のネットワークを介して接続されたサーバコンピュータに転送したりすることができる。この場合、サーバコンピュータの記憶装置も本発明に含まれるのは勿論である。
【０１１３】
また、上述した実施形態における各装置の一部又は全部を典型的には集積回路であるＬＳＩ（Large Scale Integration）として実現してもよい。各装置の各機能ブロックは個別にチップ化してもよいし、一部又は全部を集積してチップ化してもよい。また、集積回路化の手法はＬＳＩに限らず専用回路又は汎用プロセッサで実現しても良い。また、半導体技術の進歩によりＬＳＩに代替する集積回路化の技術が出現した場合、当該技術による集積回路を用いることも可能であることは勿論である。
【符号の説明】
【０１１４】
１００、１００ａ〜１００ｄ  …  表示装置
１１０  …  ディスプレイ
１２０  …  制御部
１２１  …  映像入力端子
１２２  …  マルチ表示用映像入力端子
１２３  …  マルチ表示用映像出力端子
１２４  …  映像／コマンド分離部
１２５  …  映像スイッチ
１２６  …  映像処理部
１２７  …  コマンド解析部
１２８  …  制御コマンド入力端子
１２９  …  制御コマンド出力端子
２００、２００ａ〜２００ｄ  …  ソース機器
２１０  …  制御部
２２０  …  記憶部
２３０  …  通信部
３００、３００ａ〜３００ｄ  …  通信ネットワーク
４００  …  制御用コンピュータ
４１０  …  制御部
４２０  …  記憶部
４３０  …  通信部
５００  …  通信ネットワーク
Ｃ１００  …  エンラージ表示コマンド（エンラージ表示要求）
Ｃ１２０  …  個別表示コマンド（個別表示要求）
Ｉ１００  …  エンラージ表示指示
Ｉ１２０  …  個別表示指示
ＰＡ、ＰＢ、ＰＣ、ＰＤ  …  映像
Ｒ１００  …  映像出力停止要求
Ｒ１２０  …  映像出力再開要求
１０００ａ〜１０００ｄ  …  表示装置
１５００ａ〜１５００ｄ  …  表示装置
２０００ａ〜２０００ｄ  …  ソース機器
２５００ａ〜２５００ｄ  …  ソース機器
３０００  …  ＭＤＭＩスイッチ
４０００  …  制御用コンピュータ
【図１】
2018041024.tif 000003
【図２】
2018041024.tif 000004
【図３】
2018041024.tif 000005
【図４】
2018041024.tif 000006
【図５】
2018041024.tif 000007
【図６】
2018041024.tif 000008
【図７】
2018041024.tif 000009
【図８】
2018041024.tif 000010
【図９】
2018041024.tif 000011
【図１０】
2018041024.tif 000012
【図１１】
2018041024.tif 000013
【図１２】
2018041024.tif 000014
【図１３】
2018041024.tif 000015
【図１４】
2018041024.tif 000016
【図１５】
2018041024.tif 000017
【図１６】
2018041024.tif 000018
【図１７】
2018041024.tif 000019
【図１８】
2018041024.tif 000020
【図１９】
2018041024.tif 000021
【図２０】
2018041024.tif 000022
【図２１】
2018041024.tif 000023
【図２２】
2018041024.tif 000024
【図２３】
2018041024.tif 000025
【図２４】
2018041024.tif 000026
【図２５】
2018041024.tif 000027
【図２６】
2018041024.tif 000028
【図２７】
2018041024.tif 000029
【図２８】
2018041024.tif 000030